(57)【要約】【課題】手摺り支柱の配置間隔に起因する取付け位置の制限を受けず、手摺りの任意の場所に増築支柱を取り付けることができるとともに、増築支柱を取り付けた後でも建築物の美観を損ねることのない増築ユニットを提供する。【解決手段】柱受け具２１は手摺り支柱１３の下部に固定されて手摺り１２に沿って水平方向に配置され、増築支柱２２は柱受け具２１と笠木１４とに固定されて手摺り１２に垂直方向に配置され、増築屋根２３は、手摺り１２の水平方向の任意の位置に取り付けられる増築支柱２２により支持される。【選択図】　　図１
2004019155.tif 000002
【特許請求の範囲】
【請求項１】
建築物の外方に張り出して設けられ、複数本の手摺り支柱と前記手摺り支柱の上端部に掛け渡される笠木とを有する手摺りが取り付けられたベランダ、外階段および外廊下などの張り出し部に後付構築物を構築する増築ユニットであって、
前記手摺り支柱の下部に固定されて前記手摺りに沿って水平方向に配置される柱受け具と、
前記柱受け具と前記笠木とに固定されて前記手摺りに垂直方向に配置される増築支柱と、
前記増築支柱に取り付けられる増築屋根とを有し、
前記手摺りの水平方向の任意の位置に取り付けられる前記増築支柱により前記増築屋根を支持することを特徴とする増築ユニット。
【請求項２】
請求項１記載の増築ユニットであって、前記柱受け具は、Ｌ字材で構成されることを特徴とする増築ユニット。
【発明の詳細な説明】
【０００１】
【発明の属する技術分野】
本発明は、ベランダ、集合住宅の外廊下や外階段などのように建築物の外方に張り出して設けられた張り出し部に屋根、サンルームもしくは温室などの後付構築物を増築するための増築ユニットに関する。
【０００２】
【従来の技術】
建築物の外階段、集合住宅の共同通路、ベランダなどのように建築物の張り出し領域には、転落事故を防止するために手摺りが設けられる。手摺りは、これら張り出し領域の周縁部に互いに間隔を隔てて床面に立設される複数の手摺支柱と、これら複数の手摺支柱間に掛け渡される笠木とを有しており、手摺り支柱より細い手摺り子が手摺り支柱間に所定の間隔を隔てて複数本割り付けられる『縦格子タイプ』のものや、手摺り支柱と笠木との隙間を塞ぐようにパネル材が張り付けられる『パネルタイプ』のものが知られている。
【０００３】
これらの張り出し領域に屋根、サンルーム、温室などの後付構築物の取付け工事を行う場合、従来の技術では、構築物を支える柱を手摺りの前面側もしくは背面側に配置し、増築支柱と手摺り支柱とを面接触させて、両者の複数箇所をボルトなどの固定金具で貫通し、ねじ結合させて固定していた。
【０００４】
これは、手摺りの取付け部分に加わる構築物の荷重によって、手摺りが倒れないよう考慮したものであるが、手摺り支柱の配置間隔毎にしか増築支柱を取り付けられいことを意味する。このため、本来取り付けたい位置に柱を取り付けられないという問題が生じたり、増築支柱の取り付け位置によっては、建築物全体の外観デザインのバランスが崩れてしまい、看者に違和感を与えてしまうという問題もあった。
【０００５】
【発明が解決しようとする課題】
本発明は上述のような従来技術の問題点に鑑みてなされたものであり、その目的は、取付け位置の制約を受けず、手摺りの任意の場所に増築支柱を取り付けることができる増築ユニットを提供することにある。
【０００６】
本発明の他の目的は、増築支柱を取り付けた後に建築物の美観を損ねることのない増築ユニットを提供することにある。
【０００７】
【課題を解決するための手段】
本発明の増築ユニットは、建築物の外方に張り出して設けられ、複数本の手摺り支柱と前記手摺り支柱の上端部に掛け渡される笠木とを有する手摺りが取り付けられたベランダ、外階段および外廊下などの張り出し部に後付構築物を構築するものであって、前記手摺り支柱の下部に固定されて前記手摺りに沿って水平方向に配置される柱受け具と、前記柱受け具と前記笠木とに固定されて前記手摺りに垂直方向に配置される増築支柱と、前記増築支柱に取り付けられる増築屋根とを有し、前記手摺りの水平方向の任意の位置に取り付けられる増築支柱により前記屋根を支持することを特徴とする。
【０００８】
本発明の増築ユニットは、前記柱受け具がＬ字材で構成されることを特徴とする。
【０００９】
本発明の増築ユニットによれば、柱受け具が複数の手摺り支柱間の下端部に掛け渡されているので、手摺り支柱の位置による制約を受けず、手摺りの任意の場所に柱を取り付けることができるとともに、増築後の建築物の美観を損ねる心配も無い。
【００１０】
【発明の実施の形態】
以下、本発明の実施の形態を図面に基づいて詳細に説明する。
【００１１】
図１は本発明の増築ユニットを建築物に取り付けた後の状態を示す斜視図であり、図２は図１のＡ−Ａ線に沿う部分拡大断面図である。図１および図２には集合住宅等の建築物１０に張り出して形成された外廊下１１の一部が示されており、外廊下１１には、その周縁部を取り囲むように手摺り１２が立設されている。
【００１２】
手摺り１２は、複数の手摺り支柱１３が外廊下１１の床面１１ａに互いに間隔Ｄ１を隔てて立設されており、立設された手摺り支柱１３の上端部間に笠木１４が水平に掛け渡され、下端側に下胴縁１５が掛け渡されている。隣り合う手摺り支柱１３，１３間には、その隙間を塞ぐように複数本の手摺り子１６が割り付けられており、それぞれの手摺り子１６は、上端部が笠木１４に結合され、下端部が下胴縁１５に結合されている。
【００１３】
この実施の形態では、手摺り支柱１３、笠木１４、下胴縁１５および手摺り子１６をアルミニウムのパイプ材によって構成しており、手摺り子１６は、乳幼児の頭部が摺り抜けて通らないように割付寸法が定められていれば、その本数や太さ等は任意に設定できる。
【００１４】
本発明の増築ユニット２０は、手摺り支柱１３の下部に固定されて手摺り１２に沿って水平方向に配置される柱受け具２１と、柱受け具２１と笠木１４とに固定されて手摺り１２に垂直方向に配置される増築支柱２２と、増築支柱２２に取り付けられる増築屋根２３とを有し、外廊下１１などの張り出し部に後付構築物を構築する。
【００１５】
このように、本発明の手摺りユニット２０によれば、柱受け具２１が複数の手摺り支柱１３−１３間の下端部に水平に掛け渡されているので、手摺り１２の任意の位置に増築支柱２２を配置することができる。
【００１６】
この実施の形態では、柱受け具２１は、互いに直角となるように折り曲げられた金属片２１ａと金属片２１ｂとを有するＬ字材によって構成されており、金属片２１ａが手摺り支柱１３それぞれの前面に対してビス留め、溶接または接着などの結合手段を用いて固定され、金属片２１ｂが手摺り支柱１３の前面に対し垂直に突出している。このように柱受け具２１がＬ字材でなる場合、増築支柱２２の下端を金属片２１ｂの上に載せ、増築支柱２２の背面を金属片２１ａの前面と密着させることによって、増築支柱２２を安定した状態で確実に支持することができる。
【００１７】
柱受け具２１によって支持された増築支柱２２は、図２に示すように、ボルトなどの固定金具３１を用いて、下端部側の前面から手摺り子１６の背面まで貫通させて固定し、更に、笠木１４が配置されている高さにおいて、前面から笠木１４の背面まで貫通させて固定する。これによって、従来技術と異なって、手摺り支柱１３の位置による制約を受けずに、柱受け具２１が伸びる手摺り１２の水平方向任意の位置に増築支柱２２を取り付けることができるとともに、建築物１０の美観を損ねるような位置に増築支柱２２を立てる必要もなくなる。
【００１８】
本発明は前記実施の形態に限定されるものではなく、その要旨を逸脱しない範囲で種々変更可能である。
【００１９】
この実施の形態では、柱受け具２１が手摺り支柱１３の前面側に設けられているので、建築物１０側から観て、手摺り１２の外側に増築支柱２２が立設されているが、柱受け具２１を手摺り支柱１３の背面側に設け、手摺り１２の内側に増築支柱２２を立設するようにしてもよい。また、手摺り１２としては、図示した縦格子タイプの手摺り以外に、パネルタイプの手摺りであってもよいし、笠木１４の上に手摺り材を平行に配置し、両者を手摺りアームで接続したタイプであっても本発明は適用できる。
【００２０】
尚、この実施の形態では、張り出し領域の一例として集合住宅等の外廊下１１が図１に示して説明しているが、それ以外の張り出し領域、たとえば、ベランダ、外階段などにも本発明を適用できることは言うまでもない。
【００２１】
【発明の効果】
本発明の増築ユニットによれば、柱受け具が複数の手摺り支柱間の下端部に水平に掛け渡されているので、柱受け具が伸びる水平方向の任意の位置に柱を配置し、柱を安定した状態で確実に支持することができるとともに、屋根を取り付けた後に建築物の美観を損ねることもない。
【図面の簡単な説明】
【図１】本発明の増築ユニットを建築物に取り付けた後の状態を示す斜視図である。
【図２】図１のＡ−Ａ線に沿う部分拡大断面図である。
【符号の説明】
１０　　　　建築物
１１　　　　外廊下
１２　　　　手摺り
１３　　　　手摺り支柱
Ｄ１　　　　間隔
１４　　　　笠木
１５　　　　下胴部
１６　　　　手摺り子
２０　　　　増築ユニット
２１　　　　柱受け具
２１ａ，２１ｂ　　　金属片
２２　　　　増築支柱
２３　　　　増築屋根
３１　　　　固定金具
【図１】
2004019155.tif 000003
【図２】
2004019155.tif 000004